(57)【要約】【課題】間違って書類を閉じてしまった場合は、特に６０枚用のクリップの場合は、親指と人差し指で握って外すことは難しい。指が痛く、また指に傷をつけて大変困難をする。事務用の書類を閉じるために、連射式クリップ機の一方の側面で書類を閉じて、クリップを外すときも一方の側面で外せるようにする事が課題である。書類閉じもクリップ外しも出来る連射式クリップ機を提供する。【解決手段】連射式クリップ機本体を正面から見て、連射式クリップ機下部に下部左先端を設け、下部左先端フック状にした。連射式クリップ機左側面から、書類をクリップで閉じてから、クリップを外す必要がある時は、下部左先端フック状、又は上部左先端底面フック状にクリップ左先端を引掛かけ、連射式クリップ機の左側面でクリップは、書類から外れてくる事を特徴とする。【選択図】図１
2019093631.tif 000002
【特許請求の範囲】
【請求項１】
合成樹脂と金属製を素材とした連射式クリップ機本体（１）を正面から見て、右先端のクリップを入れる穴（４）から左先端に向けてクリップ（２）を、横一列に並ぶようにして入れ、クリップの押手（５）を左右に移動出来る構造にして、前記クリップ押手（５）の左方には、クリップ底面押し部（１−７）を設け、連射式クリップ機本体（１）の上下は、連射式クリップ機下部と上部を結合する金属（７）で固定して、連射式クリップ機下部（１−１）の連射式クリップ機下部左先端（１−２）に、フック状（１−３）と上部左先端底面フック状（１−１０）も設け、書類（３）を閉じる時は、クリップを押しつける押手（５）を、正面から見て左先端の、書類（３）側に押すことにより、クリップ（２）で書類（３）を閉じる事が出来るようにして、クリップを外す必要が生じた時は、クリップ先端（２−１）が書類よりフック状（１−３）側に傾いているため、連射式クリップ機左側面（８）で書類（３）を閉じているクリップ（２）を挟むようにして、フック状（１−３）に、又は上部左先端底面フック状（１−１０）に、クリップ左先端（２−１）を引掛かけ、連射式クリップ機本体（１）を書類（３）と反対側に引くと、書類（３）からクリップ（２）を外せる事を特徴とするクリップも外せる連射式クリップ機。
【請求項２】
合成樹脂と金属製を素材とした、連射式クリップ機本体（１）の合成樹脂の色は、黒・青・赤・黄色・グリーン・白色・透明を使用することが出来る請求項１記載のクリップも外せる連射式クリップ機。
【発明の詳細な説明】
【技術分野】
【０００１】
本発明は、連射式クリップ機で書類を閉じてから、クリップも外すことが出来る連射式クリップ機に関する。
【背景技術】
【０００２】
従来、連射式クリップ機は連続して書類を閉じることが出来るが、クリップを外すときは連射式クリップ機以外のもので外すか、又は連射式クリップ機の一方の側面で書類を閉じて、他方の側面でクリップを外す方法で処理してきた。
［特許文献１］実開平０３−０９６１８７号公報（ガチャ玉外し器）、［特許文献２］特開２０１１-１４３６１２（文具用クリップ）、［特許文献３］実用新案登録第３０８０６５９号公報（クリップ及びクリップドライバー）［特許文献４］特許第５８０６４３３号（クリップも外せる連射式クリップ機）に開示されている。
【０００３】
［特許文献４］特許第５８０６４３３号（クリップも外せる連射式クリップ機）において、上部先端にクリップを押さえる凸部を指で押しながら、書類と反対側に本体を引くと書類からクリップが外れるが、凸部を押すと書類を閉じているクリップが強く書類を押す事になるため、「クリップが外れ辛い」事と外れる時に「書類が破れる」という欠点がある。
この欠点をなくするために、凸部を明細書、特許請求の範囲、図面において削除して凸部がなくても、書類からクリップを外す事が出来る事を本願発明に記載するものである。
【先行技術文献】
【特許文献】
【０００４】
【特許文献１】実開平０３−０９６１８７号公報
【特許文献２】特開２０１１-１４３６１２号公報
【特許文献３】実用新案登録第３０８０６５９号公報
【特許文献４】特許第５８０６４３３号
【発明の概要】
【発明が解決しようとする課題】
【０００５】
従来の連射式クリップ機は、連続して書類を閉じることが出来て大変便利である。
しかし、間違って書類を閉じてしまった場合、または閉じた書類が不要になり分解しようとすると、特に６０枚用のクリップを使用した連射式クリップ機の場合は、指で握って外すことは難しい。
特に沢山のクリップを外そうとすると、指が痛く、また指に傷をつけて大変困難をする。事務用の書類を閉じるために、連射式クリップ機を使用して、クリップを外す必要がある場合は、一旦作業を中断して別のクリップ外しで、外さなければならない。
また、従来の連射式クリップ機は、一方の側面で書類を閉じて、他方の側面でクリップを外す方法で処理して来た。
連射式クリップ機の中にクリップを入れて一方の側面で書類を閉じる時も、クリップを外す時も、両方とも連射式クリップ機の一方の側面で出来るようにする事が課題である。
【課題を解決するための手段】
【０００６】
課題を解決するために本発明は，以下の構成とした。
合成樹脂と金属製を素材とした連射式クリップ機本体（１）を正面から見て、上下に分かれる細長い箱状の形状であり、クリップの押手（５）を左右に移動できるようにして、前記クリップ押手（５）の左方には、クリップ底面押し部（１−７）を設け、上下の細長い箱状の形状の連結は連射式クリップ機下部と上部を結合する金属（７）で、連結できるようにした。
また、連射式クリップ機本体（１）を正面から見て、連射式クリップ機下部（１−１）に連射式クリップ機下部左先端（１−２）を設け、下部先端フック状（１−３）と、左上部先端（１−５）の底面に上部先端フック状（１−１０）を設けた。
連射式クリップ機本体（１）の、内部に右先端から左先端に向けてクリップ（２）を、クリップを入れる穴（４）から横一列に並ぶようにしていれる構造である。
連射式クリップ機本体（１）で、書類（３）を閉じる時は、クリップを押しつける押手（５）を正面から見て左先端側に押すことにより、クリップ（２）で書類（３）を閉じる事が出来る。
書類をクリップ（２）で閉じたら、クリップの押手（５）から親指を放すと、クリップの押手（５）は、押し部を引き戻す金属製スプリング（１−８）で引かれて書類を閉じるクリップ（２）と正反対の方向に戻る構造である。
【０００７】
書類（３）を、クリップ（２）で閉じてから、クリップ（２）を外す必要が生じた場合は、連射式クリップ機本体（１）を正面から見て、書類（３）を閉じた時と同じ位置に、下部先端フック状（１−３）で、クリップ左先端（２−１）を引掛かけ、書類と反対側に引くと、クリップ（２）は、下部左先端フック状（１−３）で片面だけ引っ掛けてもクリップ（２）は書類（３）から外れる構造である。
しかし、下部フック状（１−３）だけでは、連射式クリップ機本体（１）で、クリップを挟むときに角度の違いで下部フック状（１−３）１箇所のフック状で上手く行かない場合を想定して、上部フック状（１−１０）も設けた。（図１０、図１２）
【０００８】
金属製の素材を使用したクリップ（２）で、書類（３）を閉じて、同じ連射式クリップ機左側面（８）で容易にクリップ（２）を外すことが出来るようにした。
連射式クリップ機本体（１）を正面から見て、下部先端フック状（１−３）又は上部左先端底面（１−１０）に、クリップ左先端（２−１）を引掛けて、連射式クリップ機本体（１）を手前に引いてクリップを外せるようにした。
【０００９】
本発明の大きな特徴として、連射式クリップ機本体（１）を正面から見て、連射式クリップ機左側面（８）からクリップ（２）を連射して書類（３）を閉じて、クリップ
（２）を外す時も同じ連射式クリップ機左側面（８）で外す事が出来る。
【発明の効果】
【００１０】
（１）６０枚綴りの連射式クリップ機に使用しているクリップは、外す時には指が痛い。
また指に怪我をする等の不便さがなくなる。
（２）クリップ外しを用意して置かなくても連射式クリップ機本体を、正面から見て連射式クリップ機左側面でクリップを連射して、クリップを外す時も同じ左側面で出来るので便利で簡単である。
（３）閉じるときも、外す時も左側面で出来るが、そのために書類からクリップが外れづらい、書類が破れる等の欠点はなくなった。
【図面の簡単な説明】
【００１１】
【図１】連射式クリップ機斜視図
【図２】連射式クリップ機正面図
【図３】連射式クリップ機平面図
【図４】連射式クリップ機左側面図
【図５】連射式クリップ機右側面図
【図６】連射式クリップ機先端部にクリップの先端部をフック状に引掛けた断面説明図
【図７】連射式クリップ機左先端部でクリップを外す状態の正面説明図
【図８】「Ａ」クリップ平面図  「Ｂ」クリップ側面図
【図９】連射式クリップ機平面下部拡大説明図
【図１０】連射式クリップ機左側面下部拡大説明図
【図１１】クリップで書類を閉じた説明図
【図１２】閉じた書類のクリップを外すためにフック状に引掛けた説明図
【発明を実施するための形態】
【００１２】
以下，本発明を実施するための最良の形態について説明する。
合成樹脂と金属製の素材を使用した連射式クリップ機本体（１）を正面から見て、連射式クリップ機下部（１−１）に下部左先端（１−２）を設け、下部左先端にフック状（１−３）を設けた。
連射式クリップ機本体（１）を平面から見て、右側面からクリップを入れる穴（４）にクリップ（２）の先端から入れる。
書類（３）を閉じる時は、クリップを押しつける押手（５）を正面から見て左先端に押すことにより、クリップ（２）で書類（３）を閉じる事が出来る。
書類をクリップ（２）で閉じたら、クリップの押手（５）から親指を放すと、クリップの押手（５）は、押し部を引き戻す金属製スプリング（１−８）で引かれて書類を閉じたクリップ（２）と正反対の方に戻る構造である。
【００１３】
クリップ（２）の先端は、若干書類よりフック状（１−３）に傾いているため、下部左先端のフック状（１−３）又は上部左先端底面（１−１０）でクリップ先端（２−１）を引っ掛けることができる。（図２、図１０、図１２）書類をクリップ（２）で閉じてから、クリップ（２）を外す必要が出た場合は、連射式クリップ機本体（１）を正面から見て、書類を閉じた時と同様の位置に、下部左先端フック状（１−３）で、クリップ左先端（２−１）を引っ掛け、クリップ先端は若干書類より外側に傾いているため、（図８「Ｂ」）連射式クリップ機本体（１）を書類と反対の方向に引くと、クリップを外すことが出来る。
しかし、下部フック状（１−３）だけでは、連射式クリップ機本体（１）で、クリップを挟むときに角度の違いで下部フック状（１−３）１箇所のフック状で上手く行かない場合を想定して、上部フック状（１−１０）も設けた。
【００１４】
連射式クリップ機本体（１）にクリップ（２）をセットして、書類（３）を閉じて、またクリップ（２）で閉じた書類（３）から、クリップ（２）を外す時も、同じ連射式クリップ機本体（１）の連射式クリップ機左側面（８）で全部出来る事は便利な方法である。
また、６０枚綴り用のクリップ（２）は、指で引っ張っても簡単に外れない。
そのため無理に力を入れると、爪が割れる、親指と人差し指が傷つく事も例外でない。
【００１５】
本発明の大きな特徴として、連射式クリップ機本体（１）を正面から見て、連射式クリップ機左側面（８）からクリップ（２）を連射して書類（３）を閉じて、クリップ
（２）を外す時も同じ連射式クリップ機左側面（８）で出来る構造である。
また、連射式クリップ機本体（１）の合成樹脂の色は黒・青・赤・黄色・グリーン・白茶色・透明を使用することが出来る。
【符号の説明】
【００１６】
（１）     連射式クリップ機本体
（１−１） 連射式クリップ機下部
（１−２） 連射式クリップ機下部左先端
（１−３） 下部フック状
（１−４） 連射式クリップ機左上部
（１−５） 連射式クリップ機左上部先端
（１−６） クリップ底面を上方に上がらないように押し付ける凸部
（１−７） クリップ底面押し部
（１−８）  押し部を引き戻す金属製スプリング
（１−９）  押し部を引き戻す金属製針金
（１−１０）左上部底面フック状
（２）     クリップ本体
（２−１） クリップ先端
（２−２） クリップ底面
（３）     書類
（４）     クリップを入れる穴
（５）     クリップの押手
（６）     クリップの左右先端を広げる金属製コントロール装置
（７）     連射式クリップ機下部と連射式クリップ機上部を結合する金属
（８）     連射式クリップ機左側面
（９）     連射式クリップ機右側面
【図１】
2019093631.tif 000003
【図２】
2019093631.tif 000004
【図３】
2019093631.tif 000005
【図４】
2019093631.tif 000006
【図５】
2019093631.tif 000007
【図６】
2019093631.tif 000008
【図７】
2019093631.tif 000009
【図８】
2019093631.tif 000010
【図９】
2019093631.tif 000011
【図１０】
2019093631.tif 000012
【図１１】
2019093631.tif 000013
【図１２】
2019093631.tif 000014
【手続補正書】
【提出日】平成30年1月24日(2018.1.24)
【手続補正１】
【補正対象書類名】特許請求の範囲
【補正対象項目名】全文
【補正方法】変更
【補正の内容】
【特許請求の範囲】
【請求項１】
合成樹脂と金属製を素材とした連射式クリップ機本体（１）を正面から見て、右先端の
クリップを入れる穴（４）から左先端に向けてクリップ（２）を、横一列に並ぶようにし
て入れ、クリップの押手（５）を左右に移動出来る構造にして、前記クリップ押手（５）
の左方には、クリップ底面押し部（１−７）を設け、連射式クリップ機本体（１）の上下
は、連射式クリップ機下部と上部を結合する金属（７）で固定して、連射式クリップ機下
部（１−１）の連射式クリップ機下部左先端（１−２）に、フック状（１−３）を、また左上部先端（１−５）の底面に左先端底面フック状（１−１０）を設け、書類（３）を閉じる時は、クリップを押しつける押手（５）を、正面から見て左先端の、書類（３）側に押すことにより、クリップ（２）で書類（３）を閉じる事が出来るようにして、クリップを外す必要が生じた時は、クリップ先端（２−１）が書類よりフック状（１−３）側に傾いているため、連射式クリップ機左側面（８）で書類（３）を閉じているクリップ（２）を挟むようにして、フック状（１−３）に、又は上部左先端底面フック状（１−１０）に、クリップ左先端（２−１）を引掛かけ、連射式クリップ機本体（１）を書類（３）と反対側に引くと、書類（３）からクリップ（２）を外せる事を特徴とするクリップも外せる連射式クリップ機。
【請求項２】
合成樹脂と金属製を素材とした、連射式クリップ機本体（１）の合成樹脂の色は、黒・青・
赤・黄色・グリーン・白色・透明を使用することが出来る請求項１記載のクリップも外せ
る連射式クリップ機。